Podtech/llm-jp-corpus-v4-ja_patent huggingface dataset:
【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】
哺乳類のＤＮＡ複製開始に不可欠なタンパク質複合体（ＯＲＣ）又はそのサブユニットのＯＲＣ１が、ゲノムＤＮＡの複製開始領域に結合するのを妨害することを特徴とする、哺乳類のＤＮＡ複製の阻害方法。
【請求項２】
ＯＲＣ又はＯＲＣ１が、ゲノムＤＮＡの複製開始領域に結合するのを妨害するために、配列表の配列番号２に示すアミノ酸配列を有する制御因子タンパク質（ＡＬＦ−Ｃ）を用いるものである、請求項１のＤＮＡ複製の阻害方法。
【請求項３】
ＯＲＣ又はＯＲＣ１が、ゲノムＤＮＡの複製開始領域に結合するのを妨害するために、配列表の配列番号２の第２４９番〜第２６３番のアミノ酸配列を有するペプチドを用いるものである、請求項１のＤＮＡ複製の阻害方法。
【請求項４】
配列表の配列番号２に示すアミノ酸配列を有する、ＤＮＡ複製開始領域に結合する制御因子タンパク質（ＡＬＦ−Ｃ）。
【請求項５】
配列表の配列番号２の第２４９番〜第２６３番に示すアミノ酸配列を有するペプチド。
【請求項６】
請求項４の制御因子タンパク質（ＡＬＦ−Ｃ）をコードするＤＮＡであって、配列表の配列番号１に示すＤＮＡ。
【請求項７】
請求項５のペプチドをコードするＤＮＡであって、配列表の配列番号１の第７４５番〜第７８０番に示す塩基配列を有するＤＮＡ。
【請求項８】
ＯＲＣ１タンパク質の部分ペプチドであって配列表の配列番号３の第２１０番〜第２３９番に示すアミノ酸配列を有するペプチド。
【請求項９】
請求項８のペプチドをコードするＤＮＡであって、配列表の配列番号３の第６２８番〜第７１７番に示す塩基配列を有するＤＮＡ。
【請求項１０】
ゲノムＤＮＡの複製開始領域に結合する制御因子タンパク質（ＡＬＦ−Ｃ）に対する抗体。
【手続補正２】
【補正対象書類名】明細書
【補正対象項目名】０００９
【補正方法】変更
【補正の内容】
【０００９】
本発明は、真核生物のＤＮＡ複製を特異的に阻害する方法およびその物質に関する。  本発明の方法は、哺乳類のＤＮＡ複製開始に不可欠なタンパク質複合体（ＯＲＣ）又はそのサブユニットのＯＲＣ１が、ゲノムＤＮＡの複製開始領域に結合するのを妨害することを特徴とする、哺乳類のＤＮＡ複製の阻害方法に関する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
上記の阻害方法において、ＯＲＣ又はそのサブユニットのＯＲＣ１が、ゲノムＤＮＡの複製開始領域に結合するのを妨害するために、配列表の配列番号２に示す制御因子タンパク質（ＡＬＦ−Ｃ）を用いることができる。また上記の阻害方法において、ゲノムＤＮＡの複製開始領域に結合するのを妨害するために、ＯＲＣ又はそのサブユニットのＯＲＣ１が配列表の配列番号２の第２４９番〜第２６３番のアミノ酸配列（Arg Gly Asn Arg Asn Arg Gly Asn Arg Gly Ser Gly Gly Gly Gln ）を有するペプチドを用いることもできる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また本発明は、ＤＮＡ複製開始複合体に結合して哺乳類ＤＮＡの複製を阻害する物質（ＡＬＦ−Ｃタンパク質、ＡＬＦ−Ｃの部分ペプチド、これらをコードするＤＮＡ）並びにＯＲＣ１タンパク質の部分ペプチド及びこれをコードするＤＮＡに関する。
【手続補正７】
【補正対象書類名】明細書
【補正対象項目名】００１４
【補正方法】変更
【補正の内容】
【００１４】
さらに本発明のＯＲＣ１タンパク質の部分ペプチドは、配列表の配列番号４の第２１０番〜第２３９番に示すアミノ酸配列（Lys Arg Ile Glu Ser Arg His Ser Ala Ser Lys Ser Arg Gln Thr Pro Thr His Pro Leu Thr Pro Arg Ala Arg Lys Arg Leu Glu Leu ）を有するペプチドである。
【手続補正８】
【補正対象書類名】明細書
【補正対象項目名】００１５
【補正方法】変更
【補正の内容】
【００１５】
さらに本発明のＡＬＦ−Ｃタンパク質は、配列表の配列番号２に示すアミノ酸配列を有する、ＤＮＡ複製開始領域に結合する制御因子タンパク質（ＡＬＦ−Ｃ）である。さらに本発明のＡＬＦ−Ｃ部分ペプチドは、配列表の配列番号２の第２４９番〜第２６３番に示すアミノ酸配列（Arg Gly Asn Arg Asn Arg Gly Asn Arg Gly Ser Gly Gly Gly Gln ）を有するペプチドである。
【手続補正９】
【補正対象書類名】明細書
【補正対象項目名】００１６
【補正方法】変更
【補正の内容】
【００１６】
さらに本発明は、ＤＮＡ複製開始領域に結合する制御因子タンパク質（ ALF-C）をコードするＤＮＡであって、配列表の配列番号１に示すＤＮＡにも関する。また、本発明は、ＡＬＦ−Ｃ部分ペプチドをコードするＤＮＡであって、配列番号１の第７４５番〜第７８０番に示す塩基配列を有するＤＮＡにも関する。さらに本発明は、ＯＲＣ１タンパク質の部分ペプチドであって、配列表の配列番号３の第２１０番〜第２３９番に示すアミノ酸配列を有するペプチドにも関する。さらに本発明は、ＤＮＡ複製開始領域に結合する制御因子タンパク質（ＡＬＦ−Ｃ）に対する抗体をも提供する。
【手続補正書】
【提出日】平成17年2月1日(2005.2.1)
【手続補正１】
【補正対象書類名】明細書
【補正対象項目名】００２６
【補正方法】変更
【補正の内容】
【００２６】
一方、分析工程において、標識物質に特異的に結合可能なパートナーを用いる分析方法を用いる場合には、ＤＮＡ増幅工程で用いる各プライマーとして、その５’末端が同種又は異種の標識物質で標識化されたオリゴヌクレオチドを用いる。以下、本発明の分析方法において、分析工程で、標識物質に特異的に結合可能なパートナーを用いる分析方法を用いる態様を、特に、本発明の結合パートナー型分析方法と称する。
本発明の結合パートナー型分析方法において、分析工程における分析手法として、イムノクロマトグラフ法、ラテックス凝集法、及びサンドイッチ法を利用する各態様について、以下、この順序に従って説明する。
【手続補正書】
【提出日】平成17年11月2日(2005.11.2)
【手続補正１】
【補正対象書類名】明細書
【補正対象項目名】０００３
【補正方法】変更
【補正の内容】
【０００３】
トレハロースは、澱粉原料からの生産技術が確立されたことにより、安価に製造可能となり、トレハロースを配合した食品や化粧品が市場に出回るようになった。近年、消費者保護の観点から、食品や化粧品などの配合成分のデータを表示することが求められるようになり、これはトレハロースについても同様であって、表示の正当性を確認するためにも、食品や化粧品中のトレハロースを検出する方法が必要である。従来提案されているトレハロースの検出方法としては、非特許文献１で開示される検出方法、すなわち、食品などから糖類を抽出し、それをトリメチルシリル誘導体化した後、ガスクロマトグラフィーにより分離してトレハロースの含有量を計測するというものである、この方法は、多くの食品に適用可能であり、かつ、ｐｐｍ単位の精度で測定可能であるものの、試料から糖質成分を抽出精製する工程、及び、トリメチルシリル誘導体化する工程が必要であり、操作が煩雑である。したがって、より簡単な方法が求められている。
【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
所定のスタート条件の成立に応じて当該パチンコ遊技機に大当たりを発生させるか否かを決定するための当否抽選処理を実行するとともに、その抽選結果を記憶するための記憶手段を有する遊技制御装置と、前記記憶手段に記憶された前記抽選結果の数量を表示するために複数の表示セグメントが一定のルールで点灯および消灯するように構成された保留玉表示部とを備えたパチンコ遊技機において、
少なくとも前記保留玉表示部と同数の表示セグメントを含んでなり、その表示セグメントが前記当否抽選処理の抽選結果に応じて前記保留玉表示部と同一または異なるルールにて点灯および／または消灯される擬似保留玉表示部が設けられていることを特徴とするパチンコ遊技機。
【請求項２】
前記遊技制御装置は、前記抽選結果を前記記憶手段に記憶する処理とともに、
前記保留玉表示部を構成する表示セグメントの点灯ルールと、前記擬似保留玉表示部を構成する表示セグメントの点灯ルールとを一致させた第１のセグメント点灯処理、あるいは、前記保留玉表示部を構成する表示セグメントの点灯ルールと、前記擬似保留玉表示部を構成する表示セグメントの点灯ルールとを相違させた第２のセグメント点灯処理を実行し、
そのとき、前記第１のセグメント点灯処理と前記第２のセグメント点灯処理との実行比率が、前記記憶手段に記憶しておくべき前記抽選結果が大当たりと非大当たりとのいずれを示すものであるかに応じて変化する請求項１記載のパチンコ遊技機。
【請求項３】
前記遊技制御装置は、前記抽選結果を前記記憶手段に記憶する処理とともに、前記擬似保留玉表示部を構成する表示セグメントの点灯ルールを決定するためのセグメント点灯ルール抽選処理を実行し、そのセグメント点灯ルール抽選処理にて決定された点灯ルールにしたがって前記擬似保留玉表示部にかかる前記第１のセグメント点灯処理または前記第２のセグメント点灯処理を実行するものである請求項２記載のパチンコ遊技機。
【請求項４】
前記遊技制御装置は、前記記憶手段に複数の前記抽選結果が記憶され、前記保留玉表示部を構成する表示セグメントおよび前記擬似保留玉表示部を構成する表示セグメントがそれぞれ複数かつ同数点灯し、新たに一の抽選結果を前記記憶手段から読み出すことが許容された場合、一の抽選結果を前記記憶手段から読み出す処理とともに、
前記保留玉表示部を構成する表示セグメントの消灯ルールと、前記擬似保留玉表示部を構成する表示セグメントの消灯ルールとを一致させた第１のセグメント消灯処理、あるいは、前記保留玉表示部を構成する表示セグメントの消灯ルールと、前記擬似保留玉表示部を構成する表示セグメントの消灯ルールとを相違させた第２のセグメント消灯処理を実行し、
そのとき、前記第１のセグメント消灯処理と前記第２のセグメント消灯処理との実行比率が、前記記憶手段に記憶されている前記抽選結果に大当たりを示すものが含まれているか否かに応じて変化する請求項１ないし３のいずれか１項に記載のパチンコ遊技機。
【請求項５】
前記遊技制御装置は、一の抽選結果を前記記憶手段から読み出す処理とともに、前記擬似保留玉表示部を構成する表示セグメントの消灯ルールを決定するためのセグメント消灯ルール抽選処理を実行し、そのセグメント消灯ルール抽選処理にて決定された消灯ルールにしたがって前記擬似保留玉表示部にかかる前記第１のセグメント消灯処理または前記第２のセグメント消灯処理を実行するものである請求項４記載のパチンコ遊技機。
【請求項６】
前記擬似保留玉表示部は、それを構成する表示セグメントの点灯数によって前記記憶手段に記憶された前記抽選結果の数量を表示する手段として構成された請求項１ないし５のいずれか１項に記載のパチンコ遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  パチンコ球が始動口に入賞したことを条件に特定状態の発生の有無を判定する判定手段と、
図柄を可変状態で表示した後に前記判定手段の判定結果に応じた態様で停止表示する可変表示をパチンコ球が前記始動口に入賞したことを条件に行う表示制御手段と、
特定状態の発生が予告されることを今回の可変表示が開始される前に確定的または非確定的に予告する第１の予告を行うと共に、今回の可変表示で特定状態が発生することを今回の可変表示中に確定的または非確定的に予告する第２の予告を行う予告手段と
を備えたことを特徴とする遊技機。
【請求項２】  パチンコ球が可変表示を開始できないタイミングで始動口に入賞することに基づいて当該入賞球に基づく可変表示の開始をＸ回（Ｘは２以上の整数）を上限に保留する保留手段を備え
予告手段は、特定状態の発生が保留手段の保留回数の範囲内で予告されることを確定的または非確定的に予告するものであることを特徴とする請求項１記載の遊技機。
【請求項３】  パチンコ球が始動口に入賞することに基づいて特定状態の発生の有無を判定し、判定結果を格納手段に格納する判定手段と、
図柄を可変状態で表示した後に判定結果に応じた態様で停止表示する可変表示を前記格納手段に判定結果が格納されていることを条件に行う表示制御手段と、
前記格納手段に複数の判定結果が格納され且つ複数の判定結果の中に特定状態が存在していることを条件に特定状態より前の先の判定結果に対して第１の予告を設定し、第１の予告が設定されたことを条件に特定状態の判定結果に対して第２の予告を設定する予告設定手段と、
先の判定結果に対応する可変表示中に特定状態の発生が予告されることを予告し、特定状態の判定結果に対応する可変表示中に当該可変表示で特定状態が発生することを予告する予告手段と
を備えたことを特徴とする遊技機。
【請求項４】  パチンコ球が始動口に入賞したことを条件に特定状態の発生の有無を判定する判定手段と、
図柄を可変状態で表示した後に前記判定手段の判定結果に応じた態様で停止表示する可変表示をパチンコ球が前記始動口に入賞したことを条件に行う表示制御手段と、
パチンコ球が前記始動口に入賞したことを条件に当該可変表示に対して第１の予告を設定する第１の予告設定手段と、
前記第１の予告設定手段が第１の予告を設定したことを条件に第１の予告の有効限度を設定する限度設定手段と、
前記限度設定手段の設定限度内で特定状態が発生することに基づいて当該可変表示に対して第２の予告を設定する第２の予告設定手段と、
第１の予告が設定された可変表示中に特定状態の発生が予告されることを予告し、第２の予告が設定された可変表示中に当該可変表示で特定状態が発生することを予告する予告手段と
を備えたことを特徴とする遊技機。
【請求項５】  第１の予告の無効化を報知する報知手段を備えたことを特徴とする請求項１〜４のいずれかに記載の遊技機。
【手続補正２】
【補正対象書類名】明細書
【補正対象項目名】００１０
【補正方法】変更
【補正の内容】
【００１０】
＜その他発明について＞
その他発明は、第１の予告の予告対象を報知するところに特徴を有する。この予告対象とは第２の予告が発生する可能性がある可変表示を称するものであり、例えば可変表示中に予告の残り有効回数または残り有効時間を報知したり、可変表示中に今回の可変表示が予告対象であることを報知すると良い。この予告対象の報知動作は第１の予告が行われたことを条件に行われるものであり、第１の予告時に残り有効回数または残り有効時間の初期値を報知しても良い。
その他発明によれば、第１の予告の予告対象が報知されるので、今回の可変表示が予告の対象であるか否かが明確になる。このため、今回の可変表示時に第２の予告の発生を待つ楽しみが明確になるので、遊技の趣向性が一層高まる。
【手続補正３】
【補正対象書類名】明細書
【補正対象項目名】００１１
【補正方法】変更
【補正の内容】
【００１１】
＜請求項５に係る発明について＞
請求項５に係る発明は、第１の予告が無効になっことを報知するところに特徴を有する。この第１の予告の無効化とは予告対象となる保留球がなくなったり、有効限度に達したことを称するものであり、第１の予告の無効状態とは第２の予告の発生確率が「０％」であるか、または、第２の予告の発生が特定状態の発生に結び付く可能性が有効状態に比べて低い状態を称する。
請求項５に係る発明によれば、第１の予告が無効になったことが遊技者に報知されるので、遊技者が第２の予告を期待して遊技を際限なく続けることがなくなる。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  図柄を可変状態および可変停止状態で順に表示する可変表示をパチンコ球が始動口に入賞したことを条件に行う構成のものにおいて、
パチンコ球が前記始動口に入賞することに基づいてカウンタデータを取得するデータ取得手段と、
前記データ取得手段の取得結果に基づいて可変表示の表示内容を設定する表示内容設定手段と、
前記表示内容設定手段の設定結果に応じた内容で可変表示を行う表示制御手段と、
大当りが判定されたことを条件に可変入賞口を遊技者に有利な状態にする大当り遊技を行う大当り遊技手段と、
パチンコ球が可変表示を開始できないタイミングで前記始動口に入賞することに基づいて当該入賞球に基づく可変表示の開始を保留する保留手段と、
可変表示の表示内容を確定的あるいは非確定的に予告する予告手段とを備え、
前記予告手段は、前記保留手段が大当り遊技中に可変表示の開始を保留していることを最低条件として保留された可変表示に係る予告を大当り遊技中に行うものであることを特徴とする遊技機。
【請求項２】  大当り遊技手段は、設定条件が満足されるまで可変入賞口を遊技者に有利な状態にする大当りラウンドを別の設定条件が満足されることに基づいて再開する動作を設定回数Ｎ（Ｎは２以上の整数）を上限値として行い、
表示制御手段は、大当りラウンドの継続回数に応じた表示内容で大当りラウンド表示を行い、
予告手段は、予告を大当りラウンド表示の表示内容によって行うことを特徴とする請求項１に記載の遊技機。
【請求項３】  予告手段は、新たな大当りラウンド表示を開始する毎に可変表示の保留の有無を検出することを特徴とする請求項２記載の遊技機。
【手続補正２】
【補正対象書類名】明細書
【補正対象項目名】０００４
【補正方法】変更
【補正の内容】
【０００４】
【課題を解決するための手段】
＜請求項１に係る発明について＞
請求項１に係る発明は、大当り遊技中に予告を選択的に行うところに特徴を有する。この予告は大当り遊技時のアニメーション画面とは機能的に相違するものであり、保留球に係る可変表示の表示内容を映像・音・光・これらの組合わせで事前報知するものである。この可変表示は図柄が大当りの態様で停止するか否かが抽選される様子を演出するものであり、大当りの発生に直結するものである。即ち、予告は大当りに対する期待感を高める機能を有するものであり、可変表示の表示内容を「１００％」の確率で確定的に事前報知するものである必要はなく、予告が行われたにも拘らず予告が実現しないことがある非確定的なものであっても良い。
【手続補正３】
【補正対象書類名】明細書
【補正対象項目名】０００５
【補正方法】変更
【補正の内容】
【０００５】
予告実行の有無は大当り遊技中に保留球が存在していることを条件に判定される。この保留球はパチンコ球が可変表示を即座に開始することができないタイミングで始動口に入賞することに基づいて発生するものであり、新たな可変表示の開始が保留されたことを示している。この保留球の存在は予告実行の必須条件であり、保留球以外の条件は任意に設定すれば良い。この任意条件の一例には予告カウンタの計測値が予め設定された予告値に該当すること，保留球に係るカウンタデータに基づいて予告行為に該当する表示行為の発生が判定されること等がある。例えば大当り予告を行うときには保留球に係るカウンタデータに基づいて大当りの発生が判定されること、リーチ予告を行うときには保留球に係るカウンタデータに基づいてリーチの発生が判定されること、リーチアクション予告を行うときには保留球に係るカウンタデータに基づいてリーチアクションの発生が判定されることが予告行為に該当する表示行為の判定に該当する。
請求項１に係る発明によれば、大当り遊技時に保留球に係る予告が行われることがあるので、大当り遊技用のアニメーション画面を見る楽しみおよび可変入賞口にパチンコ球が入賞することを見る楽しみに加え、予告が何時行われるかを期待する楽しみができる。しかも、予告が保留球の存在を必須条件に行われるので、予告に対する信憑性が高まり、総じて、大当り遊技時の趣向性が高まる。
【手続補正４】
【補正対象書類名】明細書
【補正対象項目名】０００６
【補正方法】変更
【補正の内容】
【０００６】
＜請求項２に係る発明について＞
請求項２に係る発明は、予告を大当りラウンド表示の表示内容によって行うところに特徴を有する。この大当りラウンド表示は大当りラウンド中に表示される動画面または静止画面を称するものであり、大当りラウンドは設定条件が満足されるまで可変入賞口を遊技者に有利な状態にする動作を称している。この大当りラウンドは別の設定条件が満足されることに基づいて２以上の設定値を上限に再開されるものであり、大当りラウンドの繰返しが大当り遊技に相当する。また、大当りラウンド表示による予告とは大当りラウンド表示を通常とは異なる態様で行うことを称するものであり、例えば大当りラウンド表示を通常とは異なる絵柄で行ったり、通常とは異なる色彩で行うことである。
請求項２に係る発明によれば、大当りラウンド表示の表示内容によって予告が行われる。この大当りラウンド中には遊技者がパチンコ球の可変入賞口に対する挙動に加えて大当りラウンド表示を見つめる傾向にあるので、遊技者が予告を見逃す確度が低くなる。
【手続補正５】
【補正対象書類名】明細書
【補正対象項目名】０００７
【補正方法】変更
【補正の内容】
【０００７】
＜請求項３に係る発明について＞
請求項３に係る発明は、新たな大当りラウンド表示を開始する毎に可変表示の保留の有無を検出するところに特徴を有する。
請求項３に係る発明によれば、例えば最終の大当りラウンド表示の開始直前に新たな保留球が発生し、新たな保留球に基づいて予告有りが判定されたときには最終の大当りラウンド表示中に予告が行われるので、最終の大当りラウンド表示の開始直前に新たな保留球が発生したときでも予告を行うことができる。
【手続補正６】
【補正対象書類名】明細書
【補正対象項目名】０００８
【補正方法】変更
【補正の内容】
【０００８】
＜その他発明１〜２について＞
その他発明１は予告を複数の大当りラウンド表示で行うところに特徴を有し、その他発明２は予告を行ったときには最終回の大当りラウンド表示まで継続させるところに特徴を有する。
その他発明１〜２によれば、複数の大当りラウンド表示で予告が行われる。このため、予告を見逃す確度が低くなるので、予告を楽しむ折角の機会が失われることが防止される。
【手続補正７】
【補正対象書類名】明細書
【補正対象項目名】０００９
【補正方法】変更
【補正の内容】
【０００９】
＜その他発明３について＞
その他発明３は、大当り遊技中に予告を行ったときには予告が行われたことを大当り遊技終了後にも報知するところに特徴を有する。
その他発明３によれば、大当り遊技中に予告が行われたときには保留球に基づく可変表示時に予告があった旨が報知される。このため、大当り遊技中の予告に気付かなかったときでも予告を認識できるので、大当り遊技後の保留球に基づく可変表示に対する趣向性が高まる。
【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】
被検体を光刺激するための刺激光を発する光刺激装置において、
前記刺激光から、生体光計測装置が使用する計測光と同じ周波数成分の光および／または同じ波長成分の光を低減する手段を有することを特徴とする光刺激装置。
【請求項２】
被検体を光刺激するための刺激光を発する発光部と、前記発光部の動作を制御し、前記刺激光として周期的なパルス光を発光させる制御部とを有し、
前記制御部は、前記刺激光から高周波成分を低減するために、前記パルス光の周期に対する発光時間の割合の設定を受け付けるデューティ設定部を含み、該デューティ設定部が受け付けた割合を満たす前記パルス光を前記発光部に発光させることを特徴とする光刺激装置。
【請求項３】
請求項２に記載の光刺激装置において、前記制御部は、前記パルス光の周期の設定を受け付ける周期設定部と、前記パルス光の１パルス当たりの光量の設定を受け付ける光量設定部と、前記デューティ設定部、前記周期設定部および前記光量設定部がそれぞれ受け付けたデューティ、周期、および光量を満たす光強度を計算により求める演算部とをさらに含み、前記演算部が求めた光強度で前記発光部を発光させることを特徴とする光刺激装置。
【請求項４】
請求項２または３に記載の光刺激装置において、生体光計測装置に接続され、指示信号を受け取る接続部をさらに有し、前記発光部は、前記接続部に接続された前記生体光計測装置が照射光として用いる波長成分を含まない光を前記刺激光として発光することを特徴とする光刺激装置。
【請求項５】
被検体に計測光を照射し、前記被検体からの通過光を検出することにより生体の内部情報を計測する生体光計測装置と、該生体光計測装置に接続され、前記被検体を刺激するための刺激光を出射する光刺激装置とを有する生体光計測システムであって、
前記光刺激装置は、前記刺激光を発光させる発光部と、前記生体光計測装置からの指示信号に基づいて前記発光部の動作を制御する制御部とを有し、
前記発光部は、前記生体光計測装置の前記計測光の波長成分を含まない光を前記刺激光として発光することを特徴とする生体光計測システム。
【請求項６】
被検体に変調信号を重畳した計測光を照射し、前記被検体からの通過光を検出することにより生体の内部情報を計測する生体光計測装置と、該生体光計測装置に接続され、前記被検体を刺激するための刺激光を出射する光刺激装置とを有する生体光計測システムにおいて、
前記光刺激装置は、前記刺激光を発光させる発光部と、前記発光部の動作を制御し、前記刺激光として周期的なパルス光を発光させる制御部とを有し、
前記制御部は、前記パルス光の周期に対する発光時間の割合の設定を受け付けるデューティ設定部を含み、該デューティ設定部が受け付けた割合を満たす前記パルス光を前記発光部に発光させることを特徴とする生体光計測システム。
【手続補正書】
【提出日】平成16年4月6日(2004.4.6)
【手続補正１】
【補正対象書類名】明細書
【補正対象項目名】０００４
【補正方法】変更
【補正の内容】
【０００４】
そこで、このような問題を解決するため、ブロワ・散気管・噴水等を止水域内に設置し、水中の溶存酸素量を増やすことで好気性細菌を活性化させる試みが従来より行われている。これにより、活性化した好気性細菌の働きで水底に堆積した汚泥が分解されると共に、水の循環により水質や生育条件が変化するためアオコの発生が抑制される。
【手続補正書】
【提出日】平成16年4月6日(2004.4.6)
【手続補正１】
【補正対象書類名】明細書
【補正対象項目名】００２１
【補正方法】変更
【補正の内容】
【００２１】
【発明の効果】
本発明に係る底質改良工法を施した場合、汚泥・沈水植物・シート等は消化・分解されて固化する。このため、本工法を施した水底の底質は汚泥から砂へと変化し従って、周辺水域の水質汚濁を防止することができる。


【手続補正２】
【補正対象書類名】明細書
【補正対象項目名】００３４
【補正方法】変更
【補正の内容】
【００３４】
セラミックボール２０を汚泥層１４の中に打ち込んだ後（又はシールシート１２を汚泥層１４の表面に敷設した後）、砂を上記敷設範囲の内側に投入し、シールシート１２を砂で覆う。砂の厚さについては、概ね30〜50cmとする。
【手続補正書】
【提出日】平成17年9月5日(2005.9.5)
【手続補正１】
【補正対象書類名】明細書
【補正対象項目名】００１７
【補正方法】変更
【補正の内容】
【００１７】
ドラフトチューブ７は、周壁３と同軸的に、かつ底材４から離間した位置に、配置されている。ドラフトチューブ７は、水平方向に延在する棒状のサポートスポーク１８，１８…を介して、シャフト１９に取り付けられている。このシャフト１９は、周壁３の軸心部に上下方向に延在するように配置されており、軸受け２０に支持されている。シャフト１９が、天材５の上部に取り付けられた駆動装置たるモーターＭによって回転させられると、これにあわせてドラフトチューブ７も回転する（本装置１は、モーターＭによって、一軸のシャフト１９を介して、掻取羽根９、外側回転羽根８及び内側回転羽根１２の全てが回転させられる機械的構造が複雑でない装置である。）。
【手続補正２】
【補正対象書類名】明細書
【補正対象項目名】００２３
【補正方法】変更
【補正の内容】
【００２３】
外側回転羽根及び内側回転羽根を設けるドラフトチューブの「下端部」の範囲は、それぞれの回転速度や、径、面積、被処理液の性質、周壁の径、ドラフトチューブの径などによって決まる。したがって、結晶の摩耗・破砕が生じない範囲で（高速回転とすると、下端部の範囲は広がるが、結晶の摩耗・破砕も多くなる。）、適宜設定する。本実施の形態では、外側回転羽根８は、下側旋回抑制板１０と同じ高さ位置に、内側回転羽根１２は、それより若干上方に設けている。
【手続補正３】
【補正対象書類名】明細書
【補正対象項目名】００２５
【補正方法】変更
【補正の内容】
【００２５】
下側旋回抑制板１０同様、上側旋回抑制板１１も、被処理液Ｐの旋回流を上下流に変換するためのものである。したがって、その形状、取り付け位置は、特に限定されず、適宜設計変更することができる。本実施の形態では、図４に示すように、上側旋回抑制板１１の形状を断面略弓状（被処理液Ｐの流れ方向に膨らんだ状態）としている。また、上側旋回抑制板１１の取り付け位置は、水平方向に関しては、ドラフトチューブ７の外側位置から若干内側位置まで延在するように、上下方向に関しては、先端部（延在長さ）がドラフトチューブ７の上端縁より若干上方となるようにしている。
【手続補正４】
【補正対象書類名】明細書
【補正対象項目名】００２６
【補正方法】変更
【補正の内容】
【００２６】
本実施の形態において、掻取羽根９，９…は、ドラフトチューブ７の外壁面に取り付けてある。例えば、棒状のサポートスポーク（１８）などを介してシャフト１９に取り付けることや、サポートスポーク（１８）に上下方向に延在するフラットバーを設け、このフラットバーに取り付けることなどもできるが、本実施の形態のようにドラフトチューブ７の外壁面に直接取り付けると、サポートスポークの回転によって被処理液Ｐの旋回流が発生するのを防止することができ、好ましいものとなる。掻取羽根９，９…の形状や取付け位置は、特に限定されない。例えば、周壁３の下端部位置から上端部位置まで延在する一本の棒状部材などとすることもできる。ただし、本実施の形態のように、水平方向に関して対向する位置に掻取羽根群９Ａ及び９Ｂを設け、掻取羽根群９Ａの掻取羽根９，９…と、掻取羽根群９Ｂの掻取羽根９，９…とが、上下方向に関して相互にずれた位置となるように設けるのが好ましい。このように掻取羽根９，９…を設けると、上方向への循環流を発生させることができ（例えば、掻取羽根９を周壁３の下端部位置から上端部位置まで延在する一本の棒状部材とすると、上方向への循環流は、発生しない。）、またシャフト１９を回転させるための駆動力が小さくて足りる。
【手続補正５】
【補正対象書類名】明細書
【補正対象項目名】００２８
【補正方法】変更
【補正の内容】
【００２８】
ところで、晶析槽６内においては、周壁３内壁面３Ａやシャフト１９に付着した結晶が落下し、結晶ブロックができることがある。そして、従来の中央部が低い円錐状の底材では、中央部に集中してブロックが集まるため、結晶ブロックの破砕機構を設けても、被処理液抜出し時における閉塞トラブルを完全に解消することが困難であった。しかしながら、底材４中央部に円錐状の突出部を設け（突出部には、底材４そのものが突出した形態のものも、他の部材が取り付けられた形態のものも含む。）、この突出部以外の底材４上に結晶ブロック破砕手段２１を取り付けることで、結晶ブロックは、径外方（周壁３側）に集まるので、結晶ブロックをほぐすことができる。したがって、スラリー抜出し時における閉塞トラブルを解消することができる。なお、本実施の形態の破砕手段２１は、図３中に拡大して示すように、底材４上に取り付けられた凸部２１Ａ，２１Ａ…と、この凸部２１Ａ，２１Ａ…と噛み合うドラフトチューブ７の下端部に取り付けられた凸部２１Ｂ，２１Ｂ…とによって、櫛状とされたものである。
【手続補正６】
【補正対象書類名】明細書
【補正対象項目名】符号の説明
【補正方法】変更
【補正の内容】
【符号の説明】
１…晶析装置、３…周壁、４…底材、５…天材、６…晶析槽、７…ドラフトチューブ、８…外側回転羽根、９…掻取羽根、１０…下側旋回抑制板、１１…上側旋回抑制板、１２…内側回転羽根、１５…被処理液供給口、１６…被処理液排出口、１７…外部ジャケット、１９…シャフト、２１…結晶ブロック破砕手段、Ｐ…被処理液。
【手続補正書】
【提出日】平成17年9月5日(2005.9.5)
【手続補正１】
【補正対象書類名】明細書
【補正対象項目名】００１５
【補正方法】変更
【補正の内容】
【００１５】
以上のようにしてなる本晶析装置１０においては、回転羽根３及び４の回転により、被処理液Ｐがドラフトチューブ２の外側を下方に流れドラフトチューブ２の下端部２Ａと底材２０との間を通りドラフトチューブ２の内側を上方に流れる被処理液Ｐの循環が生じる。この循環により、結晶の成長が進む。
【手続補正２】
【補正対象書類名】明細書
【補正対象項目名】００２３
【補正方法】変更
【補正の内容】
【００２３】
（ドラフトチューブ下端縁）
たまり部の構造改良としては、以上の底材の改良のほか、ドラフトチューブ下端縁の改良を施すと、より好ましいものとなる。具体的には、ドラフトチューブの下端部を、このドラフトチューブを構成する材料の下端縁を内側若しくは外側に折り返し又は丸め込むことにより形成された膨らみ部で構成する。この構成としては、例えば、図６の（１）に示すように、ドラフトチューブ２（本実施の形態では、下側ドラフトチューブ２ｂ）を構成する材料の下端縁２ｃを内側に折り返したことにより形成された膨らみ部（いわゆる、ふところ。）２ｄでドラフトチューブ２（２ｂ）の下端部２Ａを構成する。これにより、たまり部における被処理液Ｐとドラフトチューブ下端部２Ａとのぶつかりが緩和され、被処理液Ｐの循環がよくなる。本実施の形態では、芯材２ｅを巻き込んで、折り返しを行っている。芯材２ｅの径を適宜設計変更することにより、循環量や循環速度、被処理液の性質、結晶の性質などに応じた循環の好適化が可能である。
【手続補正３】
【補正対象書類名】明細書
【補正対象項目名】００２６
【補正方法】変更
【補正の内容】
【００２６】
（攪拌羽根）
本実施の形態では、循環流のさらなる向上を図るために、図４に示すような、回転機構３０を利用した。この回転機構３０は、モーターＭを駆動源として回転するシャフト９に貫通される軸部１５と（図３参照）、この軸部１５と同軸的に配置された筒部１６と、を有する。本回転機構３０は、前述したように、上側ドラフトチューブ２ａと下側ドラフトチューブ２ｂとの間に介在されるものであり、筒部１６が、ドラフトチューブ２ａ，２ｂと同一径となるようにされている。そして、軸部１５と筒部１６との間に、この両者に固定されて内側回転羽根３が、筒部１６の外側に、この筒部１６に固定されて外側回転羽根４が設けられている。この回転機構３０の存在により、ドラフトチューブ２全体を回転する必要がなくなるので、ドラフトチューブ２の回転によって被処理液Ｐの流れが乱れるのを防止することができる。もちろん、回転のために要するエネルギーも減少させることができる。
【手続補正４】
【補正対象書類名】明細書
【補正対象項目名】００２７
【補正方法】変更
【補正の内容】
【００２７】
（その他）
以上の、底材２０、ドラフトチューブ下端部２Ａ、回転機構３０などの開発・改良により、被処理液Ｐの循環がよくなるが、これにともなって、結晶のブロックが発生しなくなり、また、被処理液排出口６の閉塞も生じなくなった。
【手続補正５】
【補正対象書類名】図面
【補正対象項目名】図４
【補正方法】変更
【補正の内容】
【図４】
2004154618.tif 000001
【手続補正書】
【提出日】平成17年10月19日(2005.10.19)
【手続補正１】
【補正対象書類名】明細書
【補正対象項目名】００９２
【補正方法】変更
【補正の内容】
【００９２】
上記焼成時に、ハニカム構造体の目封じ部材の気孔率が隔壁の気孔率の９７％より低いと、焼成時の温度差等による熱応力がハニカム構造体の端面に発生した場合に、隔壁のヤング率及び強度が目封じ部材のヤング率及び強度より低くなるため、熱応力により隔壁にクラックが入ることがある。そのため、目封じ部材の気孔率は隔壁の気孔率の９７％以上にする必要がある。
【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】
（Ａ）カチオン又はアニオンの少なくともどちらか一方が、少なくとも一つのエーテル結合を有す有機イオンである有機オニウム塩と（Ｂ）三フッ化ホウ素との複合体からなるルイス酸触媒。
【請求項２】
請求項１記載のルイス酸触媒における複合体が、下記一般式（１）
Ｚ−・（Ｒ１）ａ−Ｘ＋−［｛−Ｙ−（ＣＨ２）ｍ−Ｏ｝ｎ−Ｒ２］ｂ・（ＢＦ３）ｃ  （１）
（上記式中、Ｚ−はアニオンを示し、Ｒ１は非置換のあるいはハロゲン原子で置換された炭化水素基を示し、Ｒ２は水素原子又は、非置換のあるいはハロゲン原子で置換された炭化水素基を示し、Ｘは窒素原子、硫黄原子又はリン原子を示し、Ｙは結合手又は２価の有機残基を示し、ａは０〜３の整数、ｂは１〜４の整数であって、かつａ＋ｂはＸが窒素原子又はリン原子の場合には４、硫黄原子の場合には３であり、ｍは１〜６、ｎはＲ２が水素原子である場合には２〜１０、Ｒ２が水素原子以外である場合には１〜１０、ｃは０．００５≦ｃ≦ｎ×ｂとなる数であり、Ｒ１及び｛−Ｙ−（ＣＨ２）ｍ−Ｏ｝ｎ−Ｒ２はいずれも、複数ある場合には各々異なる基であってもよい。）
又は下記一般式（２）
【化１】
2004154664.tif 000001
（上記式中、Ｚ−、Ｒ２、Ｙ、ｍ及びｎは一般式（１）と同義であり、
【化２】
2004154664.tif 000002
で示される基は、置換又は非置換の不飽和含窒素複素環から誘導されるカチオン性の基を示し、ｄは０．００５≦ｃ≦ｎとなる数である。）
で示される複合体である請求項１記載のルイス酸触媒。
【請求項３】
下記一般式（３）
Ｚ−・（Ｒ１）ａ−Ｘ＋−［｛−Ｙ−（ＣＨ２）ｍ−Ｏ｝ｎ−Ｒ２］ｂ・（ＢＦ３）ｋ  （３）
（上記式中、Ｚ−はアニオンを示し、Ｒ１は非置換のあるいはハロゲン原子で置換された炭化水素基を示し、Ｒ２は水素原子又は、非置換のあるいはハロゲン原子で置換された炭化水素基を示し、Ｘは窒素原子、硫黄原子又はリン原子を示し、Ｙは結合手又は２価の有機残基を示し、ａは０〜３の整数、ｂは１〜４の整数であって、かつａ＋ｂはＸが窒素原子又はリン原子の場合には４、硫黄原子の場合には３であり、ｍは１〜６、ｎはＲ２が水素原子である場合には２〜１０、Ｒ２が水素原子以外である場合には１〜１０、ｋは１≦ｋ≦ｎ×ｂとなる数であり、Ｒ１及び｛−Ｙ−（ＣＨ２）ｍ−Ｏ｝ｎ−Ｒ２はいずれも、複数ある場合には各々異なる基であってもよい。）
で示される有機オニウム塩複合体。
【請求項４】
下記一般式（４）
【化３】
2004154664.tif 000003
（上記式中、Ｚ−はアニオンを示し、Ｒ２は水素原子又は、非置換のあるいはハロゲン原子で置換された炭化水素基を示し、Ｙは結合手又は２価の有機残基を示し、
【化４】
2004154664.tif 000004
で示される基は、置換又は非置換の不飽和含窒素複素環から誘導されるカチオン性の基を示し、ｍは１〜６、ｎはＲ２が水素原子である場合には２〜１０、Ｒ２が水素原子以外である場合には１〜１０、ｌは１≦ｌ≦ｎとなる整数である。）で示される有機オニウム塩複合体。
【請求項５】
カチオン又はアニオンの少なくともどちらか一方が、少なくとも一つのエーテル結合を有す有機イオンである有機オニウム塩と、三フッ化ホウ素・エチルエーテル複合体とを混合し、ついでエチルエーテルを減圧下に除去、濃縮することによって得られるルイス酸触媒。
【請求項６】
カチオン又はアニオンの少なくともどちらか一方が、少なくとも一つのエーテル結合を有す有機イオンである有機オニウム塩と、三フッ化ホウ素・エチルエーテル複合体とを混合し、ついでエチルエーテルを減圧下に除去、濃縮する請求項１又は５記載のルイス酸触媒の製造方法。
【手続補正２】
【補正対象書類名】明細書
【補正対象項目名】０００８
【補正方法】変更
【補正の内容】
【０００８】
即ち、本発明は、（Ａ）カチオン又はアニオンの少なくともどちらか一方が、少なくとも一つのエーテル結合を有す有機イオンである有機オニウム塩と（Ｂ）三フッ化ホウ素との複合体からなるルイス酸触媒であり、他の発明は、上記複合体が、下記一般式（１）
Ｚ−・（Ｒ１）ａ−Ｘ＋−［｛−Ｙ−（ＣＨ２）ｍ−Ｏ｝ｎ−Ｒ２］ｂ・（ＢＦ３）ｃ  （１）
（上記式中、Ｚ−はアニオンを示し、Ｒ１は非置換のあるいはハロゲン原子で置換された炭化水素基を示し、Ｒ２は水素原子又は、非置換のあるいはハロゲン原子で置換された炭化水素基を示し、Ｘは窒素原子、硫黄原子又はリン原子を示し、Ｙは結合手又は２価の有機残基を示し、ａは０〜３の整数、ｂは１〜４の整数であって、かつａ＋ｂはＸが窒素原子又はリン原子の場合には４、硫黄原子の場合には３であり、ｍは１〜６、ｎはＲ２が水素原子である場合には２〜１０、Ｒ２が水素原子以外である場合には１〜１０、ｃは０．００５≦ｃ≦ｎ×ｂとなる数であり、Ｒ１及び｛−Ｙ−（ＣＨ２）ｍ−Ｏ｝ｎ−Ｒ２はいずれも、複数ある場合には各々異なる基であってもよい。）
又は下記一般式（２）
【手続補正３】
【補正対象書類名】明細書
【補正対象項目名】００１２
【補正方法】変更
【補正の内容】
【００１２】
で示される基は、置換又は非置換の不飽和含窒素複素環から誘導されるカチオン性の基を示し、ｄは０．００５≦ｃ≦ｎとなる数である。）
で示される複合体であるルイス酸触媒である。
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
上流側の貯溜タンクに蓄積されたパチンコ球を整列路に沿って流下させ、下流側の賞球制御部に対して供給する樋状のタンクレールであって、
前記整列路は、その途中に下流側を低くする段差部が設けられ、かつ、
この段差部の上流側はパチンコ球の最下点を支持するようになっている共に、段差部に隣接する部分であって段差部の下流側にはパチンコ球をその最下点より上位で支持する落下受け部が設けられ、
さらにこの段差部の上流側における前記整列路の底壁には下流側を低くする予備段差部が設けられていることを特徴とするタンクレール。
【請求項２】
前記予備段差部の下流側底壁の勾配を前記予備段差部の上流側の勾配よりも急勾配とし、かつ、前記予備段差部と前記段差部との間の行程を前記予備段差部の上流側の行程よりも短くなるように形成されていることを特徴とする請求項１記載のタンクレール。
【手続補正２】
【補正対象書類名】明細書
【補正対象項目名】０００６
【補正方法】変更
【補正の内容】
【０００６】
上記の目的を達成するための手段として、請求項１の発明は、上流側の貯溜タンクに蓄積されたパチンコ球を整列路に沿って流下させ、下流側の賞球制御部に対して供給する樋状のタンクレールであって、前記整列路は、その途中に下流側を低くする段差部が設けられ、かつ、この段差部の上流側はパチンコ球の最下点を支持するようになっている共に、段差部に隣接する部分であって段差部の下流側にはパチンコ球をその最下点より上位で支持する落下受け部が設けられ、
さらにこの段差部の上流側における前記整列路の底壁には下流側を低くする予備段差部が設けられているところに特徴を有する。
また、請求項２の発明は、請求項１記載のものにおいて、前記予備段差部の下流側底壁の勾配を前記予備段差部の上流側の勾配よりも急勾配とし、かつ、前記予備段差部と前記段差部との間の行程を前記予備段差部の上流側の行程よりも短くなるように形成されているところに特徴を有する。
【手続補正３】
【補正対象書類名】明細書
【補正対象項目名】０００８
【補正方法】変更
【補正の内容】
【０００８】
さらに、請求項１の発明によれば、段差部に進入する前の段階において、予備段差部でもってパチンコ球の積み重なりを予備的に崩すことができる、という効果が得られる。
また、請求項２の発明によれば、段差部に進入するパチンコ球の速度が過度に大きくなって噛み込みが生じ易くなることを規制して、球詰まりを防止することが可能である。
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
上流側の貯溜タンクに蓄積されたパチンコ球を整列路に沿って流下させ、下流側の賞球制御部に対して供給する樋状のタンクレールであって、
前記整列路には幅方向に一対の対向壁が設けられ、この対向壁間にパチンコ球を通過させることにより幅方向に関して一列に整列させ、かつ、天井壁を設けることにより、高さ方向を１個のパチンコ球のみが通過可能な高さ寸法まで絞り込み可能とするとともに、
前記天井壁は前記整列路を構成する部材とは別体の板状をなしかつ着脱自在であるとともに、この天井壁には前記整列路に向けて肉厚を増し積み重なったパチンコ球に当接する凸部が長さ方向へ一体に形成されていることを特徴とするタンクレール。
【請求項２】
前記天井壁は、上流側に配され上反り状に形成されたパチンコ球の導入部と、下流側においてパチンコ球を一段だけ通過させる均一高さをもって形成された平坦部と、導入部と平坦部との間に配され下流側へ向けて除々に高さを減ずるように形成された傾斜部とからなり、前記凸部はこの傾斜部に配されていることを特徴とする請求項１記載のタンクレール。
【請求項３】
前記天井壁における外面でかつ幅方向両側縁には長さ方向に沿って側縁リブが形成されていることを特徴とする請求項１又は請求項２記載のタンクレール。
【請求項４】
前記天井部における外面には幅方向に沿って補強リブが形成されていることを特徴とする請求項１ないし請求項３のいずれかに記載のタンクレール。
【手続補正２】
【補正対象書類名】明細書
【補正対象項目名】０００６
【補正方法】変更
【補正の内容】
【０００６】
上記の目的を達成するための手段として、請求項１の発明は、上流側の貯溜タンクに蓄積されたパチンコ球を整列路に沿って流下させ、下流側の賞球制御部に対して供給する樋状のタンクレールであって、前記整列路には幅方向に一対の対向壁が設けられ、この対向壁間にパチンコ球を通過させることにより幅方向に関して一列に整列させ、かつ、天井壁を設けることにより、高さ方向を１個のパチンコ球のみが通過可能な高さ寸法まで絞り込み可能とするとともに、前記天井壁は前記整列路を構成する部材とは別体の板状をなしかつ着脱自在であるとともに、この天井壁には前記整列路に向けて肉厚を増し積み重なったパチンコ球に当接する凸部が長さ方向へ一体に形成されていることを特徴とするものである。
請求項２の発明は、請求項１記載のものにおいて、前記天井壁は、上流側に配され上反り状に形成されたパチンコ球の導入部と、下流側においてパチンコ球を一段だけ通過させる均一高さをもって形成された平坦部と、導入部と平坦部との間に配され下流側へ向けて除々に高さを減ずるように形成された傾斜部とからなり、前記凸部はこの傾斜部に配されていることを特徴とするものである。
請求項３の発明は、請求項１又は請求項２記載のものにおいて、前記天井壁における外面でかつ幅方向両側縁には長さ方向に沿って側縁リブが形成されていることを特徴とするものである。
請求項４の発明は、請求項１ないし請求項３のいずれかに記載のものにおいて、前記天井部における外面には幅方向に沿って補強リブが形成されていることを特徴とするものである。
【手続補正３】
【補正対象書類名】明細書
【補正対象項目名】０００７
【補正方法】変更
【補正の内容】
【０００７】
請求項１の発明では、天井壁が別体に形成されているため、天井板を取り外して容易にメンテナンスを行うことができる、という効果が得られる。また、凸部が形成されていることによって、天井板の変形を防ぎ、その高さ位置を設定した位置に保持することができるため、パチンコ球に確実に接触させることができる。
請求項２の発明では、球詰まりを生じやすい傾斜部の変形を規制することができる。
請求項３、４の発明によっても、天井板の変形を規制し、凸部の高さ位置を保持することができる。
【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  特定の遊技状態の発生を検出するための状態検出手段と、
その状態検出手段による検出結果に基づいてポイント数を算出するポイント数算出手段と、
前記ポイント数に応じた価値を有するサービスポイントを携帯通信端末によって受信可能な信号として送信するポイント送信手段と、
を備えたことを特徴とする遊技機。
【請求項２】  前記ポイント数算出手段は、前記特定の遊技状態の種類に応じて各々所定のポイント数を算出することを特徴とする請求項１に記載の遊技機。
【請求項３】  前記ポイント数算出手段は、所定条件が成立した場合に、算出されるポイント数を変化させることを特徴とする請求項１又は２に記載の遊技機。
【請求項４】  前記ポイント数算出手段は、前記特定の遊技状態の発生の検出毎にポイント数を個々に算出し、
前記ポイント送信手段は、前記各ポイント数に応じた価値を有するサービスポイントを送信することを特徴とする請求項１乃至３のいずれかに記載の遊技機。
【請求項５】  前記ポイント数算出手段は、前記特定の遊技状態の発生の検出毎にポイント数を個々に算出すると共に、前記各ポイント数を積算して累積ポイント数を算出し、
前記ポイント送信手段は、前記累積ポイント数に応じた価値を有するサービスポイントを送信することを特徴とする請求項１乃至４のいずれかに記載の遊技機。
【請求項６】  前記ポイント数算出手段によって算出された個々のポイント数又はそれらを積算した累積ポイント数を記憶するポイント数記憶手段を備え、
前記サービスポイント送信手段は、所定のタイミングで前記ポイント数記憶手段から個々のポイント数又は積算ポイント数を読み出してサービスポイントの送信を行うことを特徴とする請求項１乃至５のいずれかに記載の遊技機。
【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
生体表面から生体内部の血液に波動を送受信して、生体内部を循環する血液の循環動態を検出する循環動態測定装置において、前記循環動態を検出する循環センサと、前記循環センサを駆動させる駆動部と、前記循環センサからの信号を受信する受信部と、前記生体の血圧を測定するための血圧測定部と、前記血圧測定部から得られる血圧に関するデータを用いて前記循環動態に関する処理プログラムを実行する信号演算部と、前記循環動態に関する結果を出力する出力部を有し、前記信号演算部が、前記生体内の血管を流れる血流速度と相関する値と、前記血圧測定部から得られる血圧値及び補正係数を用いて算出した平均血圧値を用いて血液レオロジーを求めることを特徴とする循環動態測定装置。
【請求項２】
請求項１に記載の循環動態測定装置において、前記信号演算部が、前記血流速度を求めるときに前記循環センサが計測した血管の血管径を用いて前記補正係数を求め、前記補正係数を用いて算出した平均血圧値と、前記生体内の血管を流れる前記血流速度と相関する値を用いて血液レオロジーを求めることを特徴とする循環動態測定装置。
【請求項３】
請求項２に記載の循環動態測定装置において、前記信号演算部が、前記血圧値から求まる最低血圧値と最高血圧値を用いて、前記平均血圧値をPｍ、前記最低血圧値をPd、前記最高血圧値をPs、前記補正係数をＣとすると  Pm=Pd+(Ps-Pd)/C
で表される式によって算出した平均血圧値と、前記生体内の血管を流れる前記血流速度と相関する値を用いて血液レオロジーを求めることを特徴とする循環動態測定装置。
【請求項４】
請求項１から請求項３のいずれかに記載の循環動態測定装置において、前記信号演算部が、前記血流速度と相関する値に前記平均血圧値の逆数を掛けて血液レオロジーを求めることを特徴とする循環動態測定装置。
【請求項５】
請求項１から請求項４のいずれかに記載の循環動態測定装置において、前記循環センサが前記血圧測定部内部にあることを特徴とする循環動態測定装置。
【手続補正書】
【提出日】平成16年8月2日(2004.8.2)
【手続補正１】
【補正対象書類名】明細書
【補正対象項目名】００２３
【補正方法】変更
【補正の内容】
【００２３】
【実施例２】
本発明の第２の実施例として、跳ね上げ式収納扉を有するスチール棚を図９及び図１０により説明する。本実施例のスチール棚の基本構造は図６に示した第１実施例のものと同じであるが、本実施例では、棚板６３に、上下棚板の間の空間の前面を覆う跳ね上げ式収納扉を設けている。
【手続補正２】
【補正対象書類名】明細書
【補正対象項目名】００２９
【補正方法】変更
【補正の内容】
【００２９】
こうして、図１０に示すように、跳ね上げ式収納扉付きのスチール棚が完成する。扉８３が開放されているときは、図１０の上段に示すように、上棚板６３の直下に収納されている。扉８３を閉めるときは、把手８６を持って扉８３を棚板６３に平行に引き出し、ローラ８４Ａ、８４Ｂがレール８１Ａ、８１Ｂの前端の回転受け部８２Ａ、８２Ｂに達して落ち込んだ後、下方に回転して、棚板６３の下方の空間の前面を覆う。なお、扉８３の内側又は下棚板の前面に、扉８３を閉めるときのショックや音を和らげるためのゴム製等のクッションを設けておくことが望ましい。